(57)【特許請求の範囲】
【請求項１】
それぞれが平坦に折り畳むことができる上皿(20)と筒状支柱(50)とを備えた組立台であって、
折畳状態にあるときに互いに重なり合う上皿の２つの底壁部(32、34)のそれぞれに、同じく折畳状態にあるときに互いに重なり合う筒状支柱の２つの対向壁(52、54)のそれぞれが連結されており、
上皿(20)および筒状支柱(50)が連動して折畳状態または組立状態となることを特徴とする、組立台。
【請求項２】
上記上皿(20)は四角形形状で、各底壁部は互いに折り重なる矩形底壁部(32、34)であって、
上記筒状支柱(50)は２組の対向壁(51、53：52、54)を備えた四角筒状であって、１組の対向壁(52、54)のそれぞれが各矩形底壁部(32、34)に連結され、他の組の各対向壁(51、53)はその中央に高さ方向に延びる折罫(51ａ、53ａ)を有していることを特徴とする、請求項１記載の組立台。
【請求項３】
上記上皿(20)がその外周縁に立設される縁壁を備えており、該縁壁は、
２つの矩形底壁部(32、34)の各対向端縁に連設された１対の連設壁部(22、24)と、両連設壁部の各両端をそれぞれ連結するとともに、その中央に高さ方向に延びる折罫(21ａ、23ａ)を有する１対の折畳壁部(21、23)と、で構成されており、折畳状態にある上皿(20)を拡げる際に両折畳壁部の下端縁に連設された各折畳フラップ(31、33)が、互いに接近する方向に移動しながら上皿の底壁上に拡がることを特徴とする、請求項２記載の組立台。
【請求項４】
折罫(90ａ)を介して連設された２つの矩形板部(91、92)で構成される四角形形状の脚板(90)をさらに備えており、
上皿と連動する上記１組の対向壁(52、54)のそれぞれに各矩形板部(91、92)が連結されており、上皿(20)、筒状支柱(50)、および脚板(90)が連動して折畳状態または組立状態となることを特徴とする、請求項２または３記載の組立台。
【発明の詳細な説明】
【０００１】
【発明の属する技術分野】
本発明は、ブランクから構成されており、使用者において組立てが行われる組立台に関する。さらに詳しくは、鏡餅とセットにして販売され、購入者が鏡餅をお供えする際に組み立てる三方として好適な組立台に関する。
【０００２】
【従来の技術】
三方は、神仏にお供えする際の受けとして広く使用されており、お正月には鏡餅をお供えするのに使用される。近年、そのような鏡餅のお供えを手軽に行うようにした小ぶりの鏡餅がスーパー等で多数販売されており、そのパッケージの中には簡単に組み立てられる三方が付属されていることが多い。
【０００３】
三方は、実際に鏡餅を受ける上皿とそれを支える支柱とを備えるが、従来の組立式三方は、上皿と支柱とを別々に組み立てて、その後に両者を組み合わせる必要があり、その組立が非常に煩わしいものであった。
【０００４】
【発明が解決しようとする課題】
本発明は上記事情に鑑みて創案されたものであり、上皿と支柱とを備えた三方であって、ワンタッチで簡単に組み立てることができるものを提供することをその目的とする。
【０００５】
【課題を解決するための手段・作用・効果】
本発明は、上記課題を解決するために創案されたものであって、以下の特徴を備える組立台を提供するものである。
【０００６】
本発明の組立台は、それぞれが平坦に折り畳むことができる「上皿」と「筒状支柱」とを備えている。上皿は、自身が折畳状態にあるときに、互いに重なり合う２つの底壁部を有している。同様に、筒状支柱は、自身が折畳状態にあるときに、互いに重なり合う２つの対向壁を有している。
【０００７】
上皿の各底壁部には、筒状支柱の各対向壁がそれぞれ連結されている。この結果、上皿および筒状支柱が連動して折畳状態または組立状態となる。
【０００８】
このように、本発明の組立台においては、上皿と筒状支柱とが両方とも折畳可能であって、しかも両者は、連動して組み立てたり折り畳んだりできるように連結されているので、ワンタッチで組立台を折畳状態から使用状態へと組み上げることができる。すなわち、従来のように、まず、上皿と筒状支柱とを別々に組み立てて、その後に両者を連結するといった面倒な作業を要しない。
【０００９】
本発明において、「上皿」を互いに折り重なる２つの矩形底壁部を備えた四角形形状に構成し、「筒状支柱」を２組の対向壁を備えた四角筒状に構成すると、鏡餅等のお供え用に使用される三方とすることができる。
【００１０】
この場合、筒状支柱の１組の対向壁のそれぞれを各矩形底壁部に連結し、他の組の各対向壁には、その中央に高さ方向に延びる折罫が設けられる。これにより、組立式三方を折り畳む場合に、上皿を折り畳むに伴って、四角筒状の支柱も好適に折り畳むことができる。
【００１１】
さらに、本発明の組立台を三方として使用する場合には、上皿の外周縁に縁壁を立設することが好ましい。この縁壁は、「２つの矩形底壁部の各対向端縁に連設された１対の連設壁部」と「両連設壁部の各両端をそれぞれ連結するとともに、その中央に高さ方向に延びる折罫を有する１対の折畳壁部」とで構成される。各折畳壁部の下端縁には折畳フラップがそれぞれ連設されている。各折畳フラップは、折畳状態にある上皿を拡げる際に、互いに接近する方向に移動しながら上皿の底壁上に拡がる。
【００１２】
上皿の底壁上に拡がったフラップは、その上に載せられる鏡餅の重量により上皿全面を押圧し、組立状態にある三方の形状を安定に維持する。
【００１３】
本発明の組立台は、折罫を介して連設された２つの矩形板部で構成される四角形形状の脚板をさらに備えていることが好ましい。各矩形板部は、上皿と連動する筒状支柱の上記１組の対向壁のそれぞれに連結されている。したがって、上皿、筒状支柱、および脚板が連動して折畳状態または組立状態となる。三方等として使用される本発明の組立台は、最低限、上皿と筒状支柱とを備えておればよいが、上記脚板を追加することによって、組立台の起立状態を安定して維持することができる。
【００１４】
【発明の実施の形態】
本発明の実施形態を添付の図面を参照して以下に詳細に説明する。図１は、本発明の一実施形態に係る組立式三方10を示す概略斜視図である。三方10は、大きく分けて、上皿20、支柱50、脚板90の３つの構成要素を備えている。これらの要素は互いに連結されており、三方10を使用する者は、ワンタッチで三方10の全体を折畳状態(図８参照)から図１の組立状態(使用状態)へと組み上げることができる。勿論、その逆もまたワンタッチで行うことができる。
【００１５】
図２は、三方10を構成する上皿20、支柱50、脚板90を構成する各ブランクを展開図で示している。説明の便宜上、各ブランクの参照数字は、それによって構成される上皿20、支柱50、または脚板90と同じ参照符号で示している。
【００１６】
まず、上皿20を構成するブランク20について説明する。ブランク20は、折罫を介して一直線状に連設されたブランク部21〜24と、これらの図２中下方側に同じく折罫を介して連設されたブランク部31〜34と、を主要構成要素としている。ブランク部24の右側に連設された接着片25は、後述するように、ブランク部21の端部に接着される。
【００１７】
ブランク部31〜34を図２において紙面向こう側へと折り返し、さらにブランク部21〜24間の折罫を紙面手前側に突出するように折り曲げると図３に示した状態となる。図３の状態からブランク部34に連設された接着片35をブランク部32の上端に貼り付け、さらにブランク部24に連設された接着片25を図３中ブランク部31の向こう側に存在するブランク部21の内面に接着する(図５参照)と、図４の状態となる。
【００１８】
図４の状態から、対向するブランク部22および24を矢印Ａ方向に引っ張ると、上方に突出する２つのブランク部31および33が矢印Ｂで示したように互いに接近する方向に移動しながら拡がり、互いの先端縁を突き合わせた状態となって、上皿20が構成される。この状態を示したのが図５である。ただし、実際の製品においては上皿20だけが単独で組み立てられることはない。
【００１９】
ブランク部(矩形底壁部)32および34は矩形形状であって、これらによって構成される上皿底壁は正方形となる。また、ブランク部31および33は、この上皿底壁のほぼ全体を覆う折畳フラップを構成する(図５参照)。ただし、組立後における折畳フラップ31、33は実質的には底壁の一部として機能する。
【００２０】
また、図５から分かるように、組立後の上皿20の外周縁には縁壁がその全周にわたって構成されている。この縁壁は、「互いに折り重ねられるブランク部32および34の対向する端縁に連設されたブランク部22および24(連設壁部)」と「各ブランク部22および24の両端を連結するブランク部21および23(折畳壁部)」とで構成される。ブランク部21、23は、それぞれ、その中央に高さ方向に延びる折罫21ａおよび23ａを有する。
【００２１】
上皿20を平坦に折り畳む際には、図５から図４の状態とし、さらに、対向するブランク部22および24を矢印Ａとは反対の方向に互いに接近するように押圧すれば、折畳フラップ31、33および折畳壁部21、23も、それぞれの中央の折罫31ａ、33ａ、21ａ、23ａにおいて折り畳まれ、全体が平坦となる。後述する図８には三方10をその全体が平坦に折り畳まれた状態で示しているが、この図８の上方部分を見ると、上皿20が平坦に折り畳まれた状態を理解できる。
【００２２】
図８の状態から上皿20を拡げて組み上げるとき、折り畳まれていた折畳壁部21、23が互いに接近するように移動し、これに伴って、各折畳壁部21、23の下端縁に連設された折畳フラップ31および33が互いに接近する方向に近づきながら拡がり、上述のように底壁のほぼ全体を覆う。
【００２３】
このような折畳フラップ31および33を設けることによって次のようなメリットを得ることができる。すなわち、通常の使用状態では折畳フラップ上には鏡餅が載せられるので、その重量によって当該フラップは上皿底壁上に押し付けられ、これによって上皿20の形状を安定に維持する。これを図５を参照して説明する。折畳壁部21は紙面向こう側へ、折畳壁部23は紙面手前側へと、それぞれ折り畳まれるので各折罫21ａ、23ａにも当然にそのようなクセがついている。すなわち、折畳フラップ31、33が存在しなければ、各折畳壁部21、23はそれぞれ上皿20の外側に向かって屈曲しようとする。しかし、折畳フラップ31、33を設けて、これを鏡餅の下に敷かれるような構成を採ることによって、外側に移動しようとする折畳壁部を内側へと引き込む力を与え、これにより上皿20の正方形形状を安定に維持できる。勿論、上皿20の内側へと向かう外力が折畳壁部に作用した場合であっても、それに対する抵抗力を与えることができる。
【００２４】
このような観点からは、両折畳フラップ31および33は、図示の例のように組立状態において互いの先端縁を突き合わせた状態となっている必要はない。例えば、図４における折畳フラップ31、33の高さを低くし、したがって図５において両折畳フラップ31、33間に帯状の隙間ができるような構成としてもよい。しかし、図示のように両先端縁が突き合う構成を採った場合には、折畳壁部21および23の外側から各壁部21、23を互いに近づける方向に外側から外力が作用した場合に、当該突合いによって外力に対する抵抗力をより大きなものとすることができる。
【００２５】
なお、折畳フラップ31および33の中央において、折罫の一部に沿って設けた細長い開口41および43は、折畳フラップ31、33および折畳壁部21、23の折り畳みを容易にするためのものである。すなわち、このような開口を設けると、実際には折畳壁部と折畳フラップとが重なった部分であるにもかかわらず、この部分を折り畳む際には、折畳壁部21、23のみを折罫21ａ、23ａにおいて折り畳むのと実質的に等しくなり、折畳時における各ブランク部の抵抗力が低減される。したがって、簡単に折り畳めるとともに、その折畳状態を安定して維持することができる。このような理由から、各開口41および43は、折畳壁部21、23の高さよりも長い寸法で形成されるとともに、折畳フラップ31、33の領域を越えて折畳壁部21、23の領域にやや入り込むようにして設けられている。
【００２６】
次に、図１に示される三方10の支柱50について説明する。図２に示したブランク50は、横方向に一列に並ぶ４つのブランク部51〜54を主要構成要素としており、ブランク部54の右側には折罫を介して接着片55が設けられている。この接着片55は、図２中左側のブランク部51の側端に接着される。さらに、ブランク部52および54の上下の端縁には、折罫を介して差込片72、74、82、84が連設されている。差込片72、74は支柱50を上皿20に連結するために、差込片82、84は支柱50を脚板90に連結するために、それぞれ利用される。なお、図示の実施形態は、本発明を三方に適用した場合であるので、ブランク部52、53、54の中央には合計３つの孔62、63、64が設けられている。
【００２７】
ブランク50をブランク部51、53に設けた折罫51ａ、53ａにおいて折り返し、接着片55をブランク部51の側端に接着した折畳状態を図６に示した。図７は図６の折畳状態からやや拡がった状態を示している。支柱50は、差込片72、74を上皿20のブランク部32、34(矩形底壁部)に形成したスリット32ａ、34ａに差し込むことによって上皿20に連結される。したがって、支柱50は、上皿20と連動して折り畳まれたり、拡げられたりする。
【００２８】
図７の支柱50は、ブランク部51および53がその折罫51ａ、53ａにおいて折り畳まれたとき全体が平坦となり、同ブランク部51、53が完全に拡がったときに、２組の対向壁(すなわち、ブランク部51および53の組と、ブランク部52および54の組)を備えた四角筒状となる。２組の対向壁のうちの１組(52および54)は折畳状態において互いに重なり合い、他の１組(51および53)は、その中央に高さ方向に形成された折罫51ａ、53ａにおいて折り畳まれる。
【００２９】
対向壁(ブランク部)52および54の下端縁には、折罫を介して差込片82および84が連設されている。これらの差込片82、84を利用して、支柱50と脚板90とが連結される。図２には、脚板90を構成するブランク90を示している。ブランク90は、折罫90ａを介して連設された２つの矩形ブランク部91および92(矩形板部)で構成された四角形形状とされている。図８は、三方10全体を平坦に折り畳んだ状態で示しているが、この図８の下方部を見れば理解できるように、支柱50は、各矩形ブランク部91、92に形成したスリット91ａ、92ａに差込片82、84をそれぞれ差し込むことによって脚板90に連結される。
【００３０】
以上説明したように、上皿20、支柱50、および脚板90を連結して構成すれば、これらの３つの要素を連動して折畳状態または組立状態とすることができる。なお、三方としては必ずしも脚板90を設ける必要はなく、脚板90を省略する場合には、支柱50を構成するブランク50から上記差込片82、84を省略すればよい。そのようにすれば、上皿20と支柱50とからのみ構成される組立式三方とすることができる。しかしながら、脚板90を追加することによって、組立台の起立状態を安定して維持することができる。
【００３１】
図８においては三方10をその全体を折り畳んだ状態で示しているが、この状態から、やや拡げた状態を図９に示している。ここからさらに拡げると、図１に示した完成状態の三方10が得られる。
【００３２】
以上の説明では、支柱50は上皿20および脚板90に対してそれぞれ、差込片とスリットとを利用して連結している。他の例としては、スリットを省略し、差込片に代えて接着片を採用すれば、接着によって各要素を上記と同様の機能を保持しつつ連結することができる。また、その他にも、各要素を連動して折り畳んだり拡げたりすることができるようなものであれば、どのような方法で連結を行ってもよい。
【００３３】
本発明の三方10は、鏡餅と一緒にパッケージングして販売することが好ましい。その場合には、自宅等で鏡餅をお供えする際に購入者がワンタッチで三方10を組み立てることができる。
【図面の簡単な説明】
【図１】  本発明の一実施形態に係る三方を組立状態において示す斜視図である。
【図２】  図１の三方の各要素を構成するブランクを示す平面図である。
【図３】  図１の三方における上皿の組立手順を説明する斜視図である。
【図４】  図１の三方における上皿の組立手順を説明する斜視図である。
【図５】  図１の三方における上皿の組立手順を説明する斜視図である。
【図６】  図１の三方における支柱の組立手順を説明する斜視図である。
【図７】  図１の三方における支柱の組立手順を説明する斜視図である。
【図８】  図１の三方を平坦に折り畳んだ状態を示す斜視図である。
【図９】  図８の状態からやや拡げた状態にある三方を示す斜視図である。
【符号の説明】
10  三方
20  上皿(ブランク)
21、23  ブランク部(折畳壁部)
21ａ、23ａ  折罫
22、24  ブランク部(連設壁部)
25  接着片
31、33  ブランク部(折畳フラップ)
31ａ、33ａ  折罫
32、34  ブランク部(矩形底壁部)
32ａ、34ａ  差込用スリット
35  接着片
41、43  開口
50  支柱(ブランク)
51、53  ブランク部(対向壁)
51ａ、53ａ  折罫
52、54  ブランク部(対向壁)
55  接着片
62、63、64  孔
72、74、82、84  差込片
90  脚板(ブランク)
90ａ  折罫
91、92  ブランク部(矩形板部)
91ａ、92ａ  差込用スリット
【図１】
0004260952.tif 000002
【図２】
0004260952.tif 000003
【図３】
0004260952.tif 000004
【図４】
0004260952.tif 000005
【図５】
0004260952.tif 000006
【図６】
0004260952.tif 000007
【図７】
0004260952.tif 000008
【図８】
0004260952.tif 000009
【図９】
0004260952.tif 000010